(57)【要約】【課題】発射された直後の球勢が強い遊技球の移動経路近傍に入賞口を開閉するシャッターを配置しているにも拘わらず、遊技球の直撃を防ぐばかりでなく、事前に球勢を減殺することによりシャッターの耐久性を低下させ、しかも有効遊技スペースを減少させる原因となる釘等を増設する必要がない入賞装置を提供する。【解決手段】緩衝部材１１により球勢を減殺された遊技球を遊技領域２の下方へ導くガイド部材２１と、緩衝部材にて跳ね返った遊技球が接するガイド部材部分に形成された切欠き部２１ａと、切欠き部に相当する遊技盤面に設けたスリット２２内に出没自在に支持されて該切欠き部を開閉するシャッター２５と、シャッターよりも内側の遊技盤面に形成された入球案内部材２７と、を備える。【選択図】図３
2010240033.tif 000002
【特許請求の範囲】
【請求項１】
遊技盤の遊技領域の右上に配置された緩衝部材により球勢を減殺された遊技球を該遊技領域の下方へ導くガイド部材と、前記緩衝部材にて跳ね返った遊技球が接する該ガイド部材部分に形成された切欠き部と、前記切欠き部に相当する遊技盤面に設けたスリット内に出没自在に支持されて該切欠き部を開閉するシャッターと、該シャッターよりも内側の遊技盤面に配置された入球案内部材と、を備えたことを特徴とする入賞装置。
【請求項２】
遊技領域を有した遊技盤と、発射装置から発射された遊技球を前記遊技領域に案内するために該遊技領域の外周縁に沿って立設された外ガイドレールと、前記遊技領域の右上部に配置されて移動してきた遊技球の球勢を減殺する緩衝部材と、前記外ガイドレール内側の遊技盤面に立設されて前記緩衝部材により球勢を減殺された遊技球を下方へ導くガイド部材と、を備えた遊技盤ユニットにおいて、
前記ガイド部材には、前記緩衝部材にて跳ね返った遊技球が接する範囲に切欠き部が形成されており、
前記切欠き部に相当する遊技盤面に設けたスリット内には該切欠き部を開閉するためのシャッターが出没自在に支持されており、
前記シャッターよりも内側の遊技盤面には入球案内部材が配置されていることを特徴とする遊技盤ユニット。
【請求項３】
請求項２に記載の遊技盤ユニットを備えたことを特徴とするパチンコ遊技機。
【発明の詳細な説明】
【技術分野】
【０００１】
本発明はパチンコ遊技機を構成する遊技盤面上に配置されて大当たり時に開放する入賞装置の改良に関する。
【背景技術】
【０００２】
パチンコ遊技機においては、遊技盤の盤面に入賞装置（始動入賞装置、大入賞装置）、風車、図柄表示装置、電飾装置等の各種盤面部品を設けて遊技内容の多様性を図っている。例えば、遊技盤に設けられた始動入賞口に遊技球が入賞するという始動条件の成立によって遊技盤中の図柄表示装置に表示される図柄が変動を開始し、特定の図柄（例えば「７７７」等の三つ揃い図柄）にて停止することで、特別遊技状態である大当り状態に移行するように構成されている。大当たり状態では、大入賞装置の大入賞口を開放状態とし、所定の条件に基づいてこの開放状態を所定回数繰り返すことにより多量の出球を放出する。
特開２００６−３４５９２５公報（特許文献１）には、センター役物に設置された入賞口と、センター役物に出没可能に支持されて入賞口を開閉するシャッターと、を備えた入賞装置が開示されている。この入賞装置は、遊技領域中央部に配置されたセンター役物の左上部に配置されている。即ち、入賞装置は、発射装置から発射された遊技球を遊技領域内に導くために遊技領域の左側縁部に沿って設けられたガイドレールの出口の近傍に位置している。このため、ガイドレール出口からの遊技球の多くは入賞装置に向かって放出され、シャッターを直撃する虞がある。発射された直後の球勢のある遊技球がシャッターに対して繰り返し衝突すると、シャッター耐久性が早期に低下し易い。この虞を解消するためには、ガイドレール出口と入賞装置との間の盤面上に釘等の直撃回避部材を配置する必要がある。しかし、液晶表示装置が大型化する傾向がある現状において、直撃回避部材としての釘を設けると、遊技領域上における有効スペースを更に減少させる不具合をもたらすこととなる。
【先行技術文献】
【特許文献】
【０００３】
【特許文献１】特開２００６−３４５９２５公報
【発明の概要】
【発明が解決しようとする課題】
【０００４】
特許文献１に記載された入賞装置にあっては、発射された直後の球勢の強い遊技球がシャッターを直撃することを防止することだけを目的とした釘等を盤面に配置する必要があるため、液晶表示装置の大型化によって有効面積が極限されている遊技スペースを更に減縮させる原因となっている。
本発明は上記に鑑みてなされたものであり、発射された直後の球勢が強い遊技球の移動経路近傍に入賞口を開閉するシャッターを配置しているにも拘わらず、遊技球の直撃を防ぐばかりでなく、事前に球勢を減殺することによりシャッターの耐久性を向上させ、しかも有効遊技スペースを減少させる原因となる釘等を増設する必要がない入賞装置、この入賞装置を備えた遊技盤ユニット、及びこの遊技盤ユニットを備えたパチンコ遊技機を提供することを目的としている。
【課題を解決するための手段】
【０００５】
上記目的を達成するため、請求項１の発明に係る入賞装置は、遊技盤の遊技領域の右上に配置された緩衝部材により球勢を減殺された遊技球を該遊技領域の下方へ導くガイド部材と、前記緩衝部材にて跳ね返った遊技球が接する該ガイド部材部分に形成された切欠き部と、前記切欠き部に相当する遊技盤面に設けたスリット内に出没自在に支持されて該切欠き部を開閉するシャッターと、該シャッターよりも内側の遊技盤面に配置された入球案内部材と、を備えたことを特徴とする。
この構成によれば、緩衝部材によって跳ね返った直後の遊技球が接触するガイド部材部分に設けた切欠き部（入賞口）をシャッターによって開閉し、切欠き部の内側に入球案内部材を設けたので、発射装置から発射された直後の球勢の強い遊技球は必ず緩衝部材によって球勢を低下された状態でガイド壁（シャッター）と接触し、球勢が強いままでシャッターを直撃することがない。このため、シャッターへの直撃を防止することだけを目的とした緩衝用の釘等を盤面に配置する必要がなくなり、液晶表示装置の大型化によって有効面積が極限されている遊技スペースが更に減少する不具合を防止できる。
【０００６】
請求項２の発明に係る遊技盤ユニットは、遊技領域を有した遊技盤と、発射装置から発射された遊技球を前記遊技領域に案内するために該遊技領域の外周縁に沿って立設された外ガイドレールと、前記遊技領域の右上部に配置されて移動してきた遊技球の球勢を減殺する緩衝部材と、前記外ガイドレール内側の遊技盤面に立設されて前記緩衝部材により球勢を減殺された遊技球を下方へ導くガイド部材と、を備えた遊技盤ユニットにおいて、前記ガイド部材には、前記緩衝部材にて跳ね返った遊技球が接する範囲に切欠き部が形成されており、前記切欠き部に相当する遊技盤面に設けたスリット内には該切欠き部を開閉するためのシャッターが出没自在に支持されており、前記シャッターよりも内側の遊技盤面には入球案内部材が配置されていることを特徴とする。
請求項３の発明に係るパチンコ遊技機は、請求項２に記載の遊技盤ユニットを備えたことを特徴とする。
【発明の効果】
【０００７】
本発明によれば、発射された直後の球勢の強い遊技球は必ず緩衝部材によって球勢を低下された状態でガイド壁（シャッター）と接触し、球勢が強いままでシャッターを直撃することがない。このため、シャッターへの直撃を防止することだけを目的とした緩衝用の釘等を盤面に配置する必要がなくなり、液晶表示装置の大型化によって有効面積が極限されている遊技スペースが更に減少する不具合を防止できる。
【図面の簡単な説明】
【０００８】
【図１】本発明の一実施形態に係る入賞装置を有した盤面部品（センター役物）を備えたパチンコ遊技機の遊技盤ユニットの正面図である。
【図２】（ａ）及び（ｂ）は本発明の係る盤面部品の斜視図である。
【図３】本発明の係る盤面部品の斜視図である。
【図４】入球案内部材周辺の断面図である。
【図５】（ａ）及び（ｂ）はシャッター駆動機構の一例を示す説明図である。
【発明を実施するための形態】
【０００９】
以下、本発明を図面に示した実施の形態により詳細に説明する。
図１は本発明の一実施形態に係る入賞装置を有した盤面部品（センター役物）を備えたパチンコ遊技機の遊技盤ユニットの正面図であり、図２及び図３は本発明の係る盤面部品の斜視図であり、図４は入球案内部材周辺の断面図であり、図５（ａ）及び（ｂ）はシャッター駆動機構の一例を示す説明図である。
本発明に係る遊技盤ユニットＵは、遊技領域２を有した遊技盤１と、遊技盤の下方に配置された発射装置から発射された遊技球Ｂを遊技領域に案内するために遊技領域の外周縁に沿って立設された薄板状の外ガイドレール３及び内ガイドレール４と、遊技領域の右側上部にて終端する外ガイドレールの終端部に配置されて外ガイドレールに沿って右側上部に移動してきた遊技球の勢いを減殺する緩衝部材１１を支持する緩衝部材支持部材（返しゴム）１０と、緩衝部材１１の内側の盤面に立設されて緩衝部材１１で跳ね返った遊技球を下方へガイドする薄板からなるガイド壁（ガイド部材）２１と、ガイド壁２１の一部を除去した切欠き部２１ａを開閉するシャッター２５と、シャッター駆動機構３０と、入賞装置４０と、を備えている。
なお、図１中では剣を象った盤面部品５０によって入賞装置４０の主要部は隠蔽されている。
【００１０】
図２、図３に示すように本例では、ガイド壁（ガイド部材）２１はセンター役物２０の外壁の一部からなり、ガイド壁２１には、緩衝部材１１にて跳ね返った遊技球Ｂが落下する過程で接する範囲に切欠き部（入賞口）２１ａが形成されており、切欠き部２１ａに相当する遊技盤面に設けたスリット２２内には切欠き部を開閉するためのシャッター２５が出没自在に支持されており、更にシャッターよりも内側の遊技盤面には、切欠き部２１ａから入球してきた遊技球を更に入賞装置内部に案内する入球案内部材２７が配置されている。シャッター２５、入球案内部材２７、及びシャッター駆動機構３０は、入賞装置（アタッカー）４０を構成している。
入賞装置４０は、例えば図４の断面図に示すように遊技盤１に形成された貫通穴１ａ内にダクト状の入球案内部材２７を挿通した構成を備え、入球案内部材２７は遊技球入口２７ａ、遊技球通路２７ｂ、遊技球出口２７ｃを備え、遊技球通路２７ｂの奥部には入賞検出スイッチ２８を備えている。
遊技球入口２７ａは、切欠き部２１ａの下端縁よりも下方に配置されることにより、切欠き部の開放時に通過してきた遊技球を受入れ易いように構成されている。
【００１１】
シャッター駆動機構３０は、図５（ａ）（ｂ）に示すように非通電時にはバネ３１ｂの力で突出し、通電時には電磁力により引っ込むプランジャ３１ａを有したソレノイド３１と、プランジャ３１ａの出没動作によって軸３２ａを中心として回動するクランク３２と、を備え、シャッター２５はクランク３２により支持されている。シャッター２５は、軸３２ａを中心としたクランク３２の回動によってスリット２２から遊技盤面上（切欠き部２１ａ）に出没する。ソレノイド３１は、図示しない制御部からの制御信号に基づいて作動する。
シャッター２５は、シャッター駆動機構３０を構成するソレノイド３１によって図２、及び図５（ａ）に示した突出位置と、図３、及び図５（ｂ）に示した退避位置との間を進退し、遊技盤面よりも上方に突出した突出位置にあるときには切欠き部２１ａを閉止してガイド壁２１の一部となって緩衝部材１１にて跳ね返った遊技球がガイド壁の内側、即ち遊技球入口２７ａ側へ移動することを阻止している。また、シャッター２５が遊技盤面の内部に退避した退避位置にあるときには切欠き部２１ａを開放して遊技球が遊技球入口２７ａ側へ移動することを許容する。
なお、シャッター２５の上端部（切欠き部２１ａの上端部）は緩衝部材１１よりも上方に位置しても良い。要するに、緩衝部材１１で跳ね返った遊技球が勢力を低下させて落下する経路の範囲内に切欠き部があり、この切欠き部を開閉するシャッターをもうければよい。なお、シャッター２５は垂直姿勢よりも、右斜め下方向に向けて傾斜していることにより、シャッター開放時に切欠き部２１ａ内に遊技球がより入球し易くなる。
また、本発明では、切欠き部を備えたガイド壁をセンター役物の外壁の一部としたが、これは一例に過ぎず、ガイド壁はどのような盤面部品、役物の一部（外壁、立ち上がり部）であってもよい。
【００１２】
以上の構成を備えた本発明の入賞装置４０（遊技盤ユニットＵ）によれば、発射された直後の球勢の強い遊技球は必ず緩衝部材１１によって球勢を低下された状態でガイド壁２１（シャッター２５）と接触し、球勢が強いままでシャッターを直撃することを防止することができる。このため、シャッターへの直撃を防止することだけを目的とした釘等を盤面に配置する必要がなくなり、液晶表示装置の大型化によって有効面積が極限されている遊技スペースが更に減少する不具合を防止できる。
この結果、本発明によれば、発射された直後の球勢が強い遊技球の移動経路近傍に入賞口を開閉するシャッターを配置しているにも拘わらず、遊技球の直撃を防ぐばかりでなく、事前に球勢を減殺することによりシャッターの耐久性を向上することができ、しかも有効遊技スペースを減少させる原因となる釘等を増設する必要がなくなる。
【符号の説明】
【００１３】
１…遊技盤、１ａ…貫通穴、２…遊技領域、３…外ガイドレール、４…内ガイドレール、１１…緩衝部材、２０…センター役物、２１…ガイド部材（ガイド壁）、２１ａ…切欠き部（入賞口）、２２…スリット、２３…クランク、２５…シャッター、２７…入球案内部材、２７ａ…遊技球入口、２７ｂ…遊技球通路、２７ｃ…遊技球出口、２８…入賞検出スイッチ、３０…シャッター駆動機構、３１…ソレノイド、３１ａ…プランジャ、３１ｂ…バネ、３２…クランク、３２ａ…軸、４０…入賞装置、５０…盤面部品
【図１】
2010240033.tif 000003
【図２】
2010240033.tif 000004
【図３】
2010240033.tif 000005
【図４】
2010240033.tif 000006
【図５】
2010240033.tif 000007